(57)【要約】【課題】制御基板上の何れの箇所に配設されている機能部品が不正行為の対象になり易いかが不明の場合がある。【解決手段】制御基板１３４上の所定位置にＬＥＤ１３５等を配設するとともに、このＬＥＤ１３５等によって、同制御基板１３４上に配設した機能ユニット１３６や、同制御基板１３４を収容する基板ボックス１３０の開口部位封止構造１３３、あるいは、カバー部材９０のカバー部材封止構造９１，９２を照射することにより、ホールの作業員がパチンコ遊技機１の背面側の状態を確認する際に、特に不正行為の対象となり易い当該機能ユニット１３６等に対して注意を喚起させることが可能になる。また、ＬＥＤ１３５等により照射することによって、当該機能ユニット１３６等を視認し易くすることが可能になる。【選択図】　図３
2004049286.tif 000002
【特許請求の範囲】
【請求項１】
遊技機本体の背面側に配置される制御基板と、
上記制御基板上に配設される所定の機能部品と、
上記制御基板に配設されるとともに、同制御基板に配設されている上記機能部品を照射可能な照射手段とを具備することを特徴とする遊技機。
【発明の詳細な説明】
【０００１】
【発明の属する技術分野】
本発明は、遊技機に関し、特に、遊技機の背面側を監視する遊技機に関する。
【従来の技術】
従来、この種の遊技機は、遊技機の背面側にＣＰＵやＲＯＭ等の機能部品が基板上に配設されている制御基板や、開閉可能な筐体本体および蓋体から構成され制御基板を収容しつつ収容した制御基板に対する不正行為を防止するために筐体本体や蓋体を所定の封止構造にて封止した基板ボックスや、基板ボックスを含めた所定領域を覆蓋して背面側に所定の封止構造にて封止されたカバー部材などが配置されている。また、基板ボックスやカバー部材の封止構造は、不正行為によって破壊された場合に、その破壊状態を認識可能な構成となっており、これによって、遊技機の本体枠を開扉し、遊技機本体の背面側を見た場合に、この封止構造を視認することによって制御基板に対する不正行為（ＣＰＵ、ＲＯＭ等の不正取替等）の有無を認識可能にしている。
【０００２】
【発明が解決しようとする課題】
上述した従来の遊技機において、遊技機の背面側に配設された制御基板上の機能部品は、設計仕様に従って当該制御基板上に適宜配設されている。従って、設計仕様を理解している者にとっては、制御基板が背面側のどこに配置されているか、制御基板上の何れの箇所にどのような機能部品が配設され、そして、何れの機能部品が不正行為の対象になり易いかを認識することができる。
しかし、ホールの作業員等で設計仕様に疎い者の場合、制御基板がどこに配置されているか不明であったり、了解していたとしても制御基板上の何れの箇所に配設されている機能部品が不正行為の対象になり易いかが不明の場合がある。かかる場合、不正行為の有無を確認するために、遊技機の背面側を視認したとしても、注意が背面側全体に散漫し、特に視認しなければならない制御基板上の機能部品の状態を見過ごしてしまう場合があった。また、遊技機の背面側が暗いことも見過ごしてしまう原因の一つとなっていた。
【０００３】
本発明は、上記課題にかんがみてなされたもので、制御基板に配設されている機能部品の状態を確実に視認して把握することが可能な遊技機の提供を目的とする。
【０００４】
【課題を解決するための手段】
上記目的を達成するため、請求項１にかかる発明は、遊技機本体裏面に配置される制御基板と、上記制御基板上に配設される所定の機能部品と、上記制御基板に配設されるとともに、同制御基板に配設されている上記機能部品を照射可能な照射手段とを具備する構成としてある。
上記のように構成した請求項１にかかる発明において、遊技機本体裏面に配置される制御基板には、各種制御処理に必要となる所定の機能部品が配設される。このような機能部品は不正行為の対象となる可能性が高いので、定期的にその状態を確認する必要がある。かかる場合、ホールの作業者は本体枠を開扉して定期的に遊技機本体裏面の状態を確認する。このとき、遊技機本体裏面全体を見渡すこともあり、制御基板の状態を見過ごしてしまうこともあり得る。そこで、制御基板上の機能部品を照射手段にて照射することによって、この機能部品に対する注意を喚起し、当該機能部品の状態を確認を実施させることを可能にするとともに、視認し易くすることを可能にする。
【０００５】
なお、本発明は、上記構成に限られるものではなく、以下の手段を含むものである。
手段１：
照射手段にて照射して好適な機能部品の一例として、上記請求項１に記載の遊技機において、上記機能部品は、制御基板上に配設された制御ユニットである構成とする。制御基板上に配設された制御ユニットは不正行為によって取り付けられる可能性が高いので、かかる制御ユニットを照射して視認し易くすることによって、当該制御ユニットに対する不正行為を早期に発見することが可能になる。この制御ユニットは、制御処理や演算処理を実行する機能を有するものであり、その一例としてはＣＰＵやＮＡＣなどがある。
手段２：
照射手段にて照射して好適な機能部品の他の一例として、上記請求項１に記載の遊技機において、上記機能部品は、制御基板上に配設されたメモリユニットである構成とする。制御基板上に配設されたメモリユニットは不正行為によって取り付けられる可能性が高いので、かかるメモリユニットを照射して視認し易くすることによって、当該メモリユニットに対する不正行為を早期に発見することが可能になる。このメモリユニットは、記憶素子を有しデータを記憶する機能を有するものであり、その一例としてはＲＯＭやＥＥＰＲＯＭなどがある。
【０００６】
手段３：
制御ユニットやメモリユニットにおいて特に照射して好適な部位の一例として、上記手段１または手段２のいずれかに記載の遊技機において、上記機能部品は、上記制御ユニットもしくはメモリユニットに貼付された管理用シールである構成とする。制御ユニット、メモリユニットには管理番号等のデータを記録した管理用シールが貼付される。この管理番号によって各ユニットを管理する機能を有するものである。従って、この管理用シールを特に視認することが可能であれば、不正行為を早期に発見できて好適である。
手段４：
照射手段によって制御基板上以外を照射するようにしても良い。そこで、上記請求項１に記載の遊技機において、開閉可能な筐体本体および蓋体にて形成され、同筐体本体および蓋体の内部に制御基板を収容するとともに同筐体本体および蓋体の開口部位を所定の封止構造によって封止する基板ボックスを備え、上記照射手段は、同基板ボックスの封止構造を照射する構成とする。制御基板に対して不正行為を行うには基板ボックスの封止構造を破壊しなければならない。従って、この封止構造を照射して視認し易くしておくことによって、不正行為を早期に発見することが可能になる。
【０００７】
手段５：
照射手段によって制御基板以外を照射する他の一例として、上記請求項１に記載の遊技機において、上記遊技機本体裏面にて開閉可能であり、上記制御基板を含む所定領域を覆蓋するとともに、同遊技機本体裏面に対して所定の封止構造によって封止されたカバー部材を備え、上記照射手段は、同カバー部材の封止構造を照射する構成とする。制御基板に対して不正行為を行うにはカバー部材の封止構造を破壊しなければならない。従って、この封止構造を照射して視認し易くしておくことによって、不正行為を早期に発見することが可能になる。
手段６：
制御基板以外の他の基板に照射手段を配設し、この照射手段によって上述してきた機能部品もしくは封止手段を照射するようにしても良い。そこで、請求項１もしくは手段１〜手段５のいずれかに記載の遊技機において、上記制御基板以外の他の基板上に配設されるとともに、上記機能部品もしくは封止構造を照射可能な照射手段を有する構成とする。これによって、制御基板以外の他の基板から同制御基板上に配設された機能部品もしくは基板ボックスまたはカバー部材の封止構造を照射することが可能になる。
手段７：
封止手段を照射した際に封止状態を確認し易くできる構成の一例として、上記手段４または手段５のいずれかに記載の遊技機において、上記封止構造は、略透明の樹脂にて形成される構成とする。封止構造を略透明な樹脂にて形成することにより、照射手段による照射が透過し、封止構造の状態が把握し易くなる。
【０００８】
手段８：
照射手段にて照射した際に、照射の状態を把握し易くすることが可能な構成の一例として、上記請求項１もしくは手段１〜手段７のいずれかに記載の遊技機において、上記機能部品もしくは封止構造は、上記照射手段による照射を反射可能な反射部材を有する構成とする。反射によって機能部品等自体が発光しているようになるので、より視認し易くすることが可能になる。
手段９：
照射手段は常時照射させておいても良いし、省電力のために必要に応じて照射させるようにしても良い。そこで、上記請求項１もしくは手段１〜手段８のいずれかに記載の遊技機において、上記照射手段は、本体枠の開閉動作に連動して照射動作をするとともに、開動作時に上記機能部品もしくは封止構造を照射する構成とする。これによって、省電力化を図ることが可能になる。
【０００９】
手段１０：
機能部品もしくは封止構造と距離が離れた場所に照射手段を設置した場合、照射手段によって照射された光線を機能部品もしくは封止構造まで導入する必要がある。かかる手法の一例として、上記請求項１もしくは手段１〜手段９のいずれかに記載の遊技機において、上記照射手段は、上記照射された光線を反射させて経路を形成可能する反射経路を有し、同反射経路によって上記光線を上記機能部品もしくは封止構造に照射させる構成とする。これにより、機能部品もしくは封止構造の近辺に照射手段を設置することができない場合であっても、照射手段が照射した光線を機能部品もしくは封止構造まで導入することが可能になる。
手段１１：
上述した反射経路を簡易に構成することができる手法の一例として、上記手段１０に記載の遊技機において、上記反射経路は、光ファイバーにて形成される構成とする。光ファイバーは可撓性を有するため、より柔軟に照射手段が照射した光線を機能部品もしくは封止構造まで導入することができるとともに、複数の光ファイバーを利用することによって、一つの照射手段の照射を複数の機能部品もしくは封止構造に導入することが可能になる。
【００１０】
手段１２：
ホールの作業員が特定の機能部品もしくは封止手段を視認する際に、これらの被照射対象により注意を喚起させることが可能な構成の一例として、上記請求項１もしくは手段１〜手段１１のいずれかに記載の遊技機において、上記照射手段は、上記機能部品もしくは封止構造に対して光線を点滅させつつ照射する構成とする。このように光線を点滅させれば、より注意を喚起させることができるので好適である。
手段１３：
照射する発光色は単色であっても良いし、個別に変更することもできる。そこで、上記請求項１もしくは手段１〜手段１２のいずれかに記載の遊技機において、上記照射手段は、上記機能部品もしくは封止構造の種別に応じて、照射する際の発光色を変更する構成とする。これにより、ホールの作業員は、発光色に応じて、視認する際の注意の仕方を変えることができる。
手段１４：
上記照射手段に適用して好適な具体的構成の一例として、上記請求項１もしくは手段１〜手段１３のいずれかに記載の遊技機において、上記照射手段は、蛍光ランプにて形成される構成とする。被照射対象を明確に視認することが可能になる。
【００１１】
手段１５：
上記照射手段に適用して好適な具体的構成の一例として、上記請求項１もしくは手段１〜手段１３のいずれかに記載の遊技機において、上記照射手段は、ＥＬにて形成される構成とする。簡易な構成で照射手段を実現することが可能になる。
手段１６：
照射手段に適用して好適な具体的構成の一例として、上記請求項１もしくは手段１〜手段１３のいずれかに記載の遊技機において、上記照射手段は、ＬＥＤにて形成される構成とする。省電力にて照射することが可能になる。
手段１７：
照射手段にＬＥＤまたはＥＬを採用した場合、当該ＬＥＤまたはＥＬの光は直進性を有しているため、照射面積が小さくなり得る。この照射面積を拡大することが可能な一例として、上記手段１５または手段１６のいずれかに記載の遊技機において、上記照射手段は、上記ＬＥＤまたはＥＬの発光を上記機能部品もしくは封止構造に対して分散させる分散手段を有する構成とする。これによりＬＥＤまたはＥＬの発光は拡大するため、より機能部品もしくは封止構造を視認し易くすることができる。
【００１２】
手段１８：
照射手段によって照射した機能部品もしくは封止構造を遊技機本体の前面側から視認することができると好適である。そこで、上記請求項１もしくは手段１〜手段１７のいずれかに記載の遊技機において、上記遊技機本体の前面側から背面側に貫通させて形成した開口部を有し、同開口部を介して同遊技機本体の前面側から背面側を視認可能にするとともに、上記機能部品もしくは封止構造を同開口部に対面して配置する構成とする。これによって、制御基板上の機能部品もしくは封止構造の状態を視認するために本体枠を開扉する必要がなくなる。
手段１９：
開口部の具体的形成位置の一例として、上記手段１８に記載の遊技機において、上記開口部は、遊技板に形成されるとともに、上記機能部品もしくは封止構造は、同遊技板に形成された開口部に対面して配置される構成とする。これによって、遊技板に形成された開口部を介して照射手段にて照射されている機能部品もしくは封止構造の状態を視認することが可能になる。
【００１３】
手段２０：
開口部の具体的形成位置の他の一例として、上記手段１８に記載の遊技機において、上記開口部は、本体枠に形成されるとともに、上記機能部品もしくは封止構造は、同本体枠に形成された開口部に対面して配置される構成とする。これによって、本体枠に形成された開口部を介して照射手段にて照射されている機能部品もしくは封止構造の状態を視認することが可能になる。
手段２１：
開口部の具体的形成位置の他の一例として、上記手段１８に記載の遊技機において、上記開口部は、遊技板および機構板に連通して形成されるとともに、上記機能部品もしくは封止構造は、同遊技板および機構板に連通して形成された開口部に対面して配置される構成とする。これによって、遊技板および機構板に連通して形成されたの開口部を介して照射手段にて照射されている機能部品もしくは封止構造の状態を視認することが可能になる。
【００１４】
手段２２：
開口部を介して遊技機本体の前面側から背面側に粉塵等が入り込むことを防止することが可能な構成の一例として、上記手段１８〜手段２１のいずれかに記載の遊技機において、上記開口部には、略透明に形成された覆蓋板が嵌め込まれる構成とする。これによって、視界を遮ることなく、粉塵等の入り込みを防止することができる。
手段２３：
ここで、照射手段にて照射された機能部品もしくは封止構造をより視認し易くすることが可能な構成の一例として、上記手段２２に記載の遊技機において、上記覆蓋板は、凸レンズにて形成された拡大鏡の構成とする。これによって、拡大された機能部品もしくは封止構造を視認することが可能となり、同機能部品もしくは封止構造の状態をより確認し易くすることが可能になる。
手段２４：
遊技者の視界から開口部を見えなくするための手法の一例として、上記手段１８〜手段２１のいずれかに記載の遊技機において、上記開口部には、上方から下方に向けて内部が視認可能な複数の傾斜壁を設けた覆蓋板が嵌め込まれる構成とする。かかる覆蓋板を開口部に嵌め込み、遊技板において遊技者の目線より上方にこの開口部を形成することによって、遊技者の視界を傾斜壁の壁面によって遮ることができる。また、通常、ホールを見回る作業員は、上方向からの目線で遊技機を見るため、この傾斜壁に遮られることなく、機能部品もしくは封止構造の状態を視認することができる。
【００１５】
手段２５：
遊技者の視界から開口部を見えなくするための手法の他の一例として、上記手段１８〜手段２１のいずれかに記載の遊技機において、上記開口部には、ユニット体外側からユニット体内側に向けて内部が視認可能な複数の傾斜壁を設けた覆蓋板が嵌め込まれる構成とする。かかる覆蓋板を開口部に嵌め込むことによって、遊技者の視界を傾斜壁の壁面によって遮ることができる。また、ホールを見回る作業員は、遊技機の横方向から傾斜壁に遮られることなく、機能部品もしくは封止構造の状態を視認することができる。
手段２６：
遊技者の目線を遮る傾斜壁に遊技板と同様な装飾を行えば、遊技者に開口部の存在を認識させなくすることができる。そこで、上記手段２４または手段２５のいずれかに記載の遊技機において、上記覆蓋板は、上記傾斜壁の外側に所定の装飾がなされている構成とする。これにより、遊技者は遊技に集中することが可能になる。
【００１６】
手段２７：
上述してきた開口部を形成する位置は特に限定されるものではない。一方、このような機能部品もしくは封止構造の状態の確認は、ホールの作業者による遊技機のメンテナンス作業時に行うことができれば良いとも考えられる。そこで、上記手段１８〜手段２６のいずれかに記載の遊技機において、上記開口部は、上記遊技機本体の前面側にて開閉可能に配設されるガラス扉枠の裏側に形成される構成とする。これにより、メンテナンス時（掃除、クギ調整、玉詰まり処置等）にガラス扉枠を開けたときに、併せて機能部品もしくは封止構造の状態を視認することができ、好適である。
手段２８：
ここで、上述したガラス扉枠は、上皿が一体に形成されている場合もあれば、上皿扉枠がガラス扉枠と別個に形成され、同上皿扉枠とガラス扉枠とが個別に遊技機本体前面に対して開閉可能に構成されている場合もある。この上皿扉枠は、上皿の清掃等の作業のために、開扉される機会が多い。このときに、機能部品もしくは封止構造の状態を視認することができると好適である。上記手段１８〜手段２６のいずれかに記載の遊技機において、上記開口部は、上記遊技機本体の前面側にて開閉可能に配設される上皿扉枠の裏側に形成される構成とする。これにより、メンテナンス時（掃除等）に上皿扉枠を開けたときに、併せて機能部品もしくは封止構造の状態を視認することができ、好適である。
手段２９：
このようにガラス扉枠の裏側に開口部を形成した場合、照射手段を常時照射しておくと省電力に寄与できない。そこで、上記手段２７または手段２８のいずれかに記載の遊技機において、上記照射手段は、上記ガラス扉枠もしくは上皿扉枠の開閉動作に連動し照射動作するとともに、開動作時に上記機能部品もしくは封止構造を照射する構成とする。これによって、省電力化を図ることが可能になる。
【００１７】
手段３０：
上述してきた遊技機は、遊技機の背面側に制御基板を収容した基板ボックスの特定領域を照射するものであれば特に限定されるものではない。そこで、本発明にかかる遊技機を適用する具体的機種の一例として、上記請求項１もしくは手段１〜手段２９のいずれかに記載の遊技機において、当該遊技機は、パチロットである構成とする。このパチロットはパチンコ遊技機とスロットマシンとを融合させたものであり、その基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【００１８】
手段３１：
また、他の具体的機種の一例として、上記請求項１もしくは手段１〜手段２９のいずれかに記載の遊技機において、当該遊技機は、スロットマシンである構成とする。このスロットマシンの基本構成としては、「複数の識別情報からなる識別情報列を動的表示した後に識別情報を確定表示する可変表示手段を備え、始動用操作手段（例えば、操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００１９】
【発明の効果】
以上説明したように本発明は、照射手段にて機能部品を照射することによって、視認する作業者の機能部品に対する注意を喚起させることができるとともに、周囲より明るくすることによって視認し易くすることが可能な遊技機を提供することができる。
また、手段１にかかる発明によれば、被照射対象となる機能部品の一例を提示することができる。
さらに、手段２にかかる発明によれば、被照射対象となる機能部品の一例を提示することができる。
さらに、手段３にかかる発明によれば、特に照射して好適な部位の一例を提示することができる。
さらに、手段４にかかる発明によれば、基板ボックスの封止構造を被照射対象とすることができる。
さらに、手段５にかかる発明によれば、カバー部材の封止構造を被照射対象とすることができる。
さらに、手段６にかかる発明によれば、制御基板以外の他の基板から被照射対象を照射することが可能になる。
【００２０】
さらに、手段７にかかる発明によれば、封止構造の状態を把握し易くすることが可能になる。
さらに、手段８にかかる発明によれば、被照射対象をより視認し易くすることが可能になる。
さらに、手段９にかかる発明によれば、省電力化を図ることが可能になる。
さらに、手段１０にかかる発明によれば、被照射対象の近辺に照射手段を設置することができない場合であっても、照射手段の照射による光線を機能部品もしくは封止構造まで導入することが可能になる。
さらに、手段１１にかかる発明によれば、簡易な構成で反射経路を製作することが可能になる。
さらに、手段１２にかかる発明によれば、ホールの作業員に対してより注意を喚起させることが可能になる。
さらに、手段１３にかかる発明によれば、発光色に応じて、視認の際の注意の仕方を変えることができる。
さらに、手段１４にかかる発明によれば、明確に被照射対象を視認することが可能になる。
【００２１】
さらに、手段１５にかかる発明によれば、簡易な構成で照射手段を実現することが可能になる。
さらに、手段１６にかかる発明によれば、省電力にて照射することが可能になる。
さらに、手段１７にかかる発明によれば、より機能部品もしくは封止構造を視認し易くすることができる。
さらに、手段１８にかかる発明によれば、遊技機本体の前面側から照射された機能部品もしくは封止構造の状態を視認することが可能になる。
さらに、手段１９にかかる発明によれば、遊技板に形成された開口から照射された機能部品もしくは封止構造の状態を視認することが可能になる。
さらに、手段２０にかかる発明によれば、本体枠に形成された開口から照射された機能部品もしくは封止構造の状態を視認することが可能になる。
さらに、手段２１にかかる発明によれば、遊技板および機構板に連通して形成された開口から照射された機能部品もしくは封止構造の状態を視認することが可能になる。
さらに、手段２２にかかる発明によれば、開口部の視界を遮ることなく、粉塵等が出入りしないようにすることができる。
【００２２】
さらに、手段２３にかかる発明によれば、照射された機能部品もしくは封止構造を拡大して視認可能とすることによって、状態をより確認し易くすることが可能になる。
さらに、手段２４にかかる発明によれば、遊技者に開口部の存在を認識させないようにすることができる。
さらに、手段２５にかかる発明によれば、遊技者に開口部の存在を認識させないようにすることができる。
さらに、手段２６にかかる発明によれば、遊技者に開口部の存在を認識させないようにすることができる。
さらに、手段２７にかかる発明によれば、ガラス扉枠を開けた際に、特定の機能部品の状態を確認することが可能になる。
さらに、手段２８にかかる発明によれば、上皿扉枠を開けた際に、特定の機能部品の状態を確認することが可能になる。
さらに、手段２９にかかる発明によれば、省電力化を図ることが可能になる。さらに、手段３０にかかる発明によれば、遊技機に適用可能な具体的機種の一例を提示することができる。
さらに、手段３１にかかる発明によれば、遊技機に適用可能な他の具体的機種の一例を提示することができる。
【００２３】
【発明の実施の形態】
ここでは、下記の順序に従って本発明の実施形態について説明する。
（１）パチンコ遊技機の構成：
（２）パチンコ遊技機の背面側から視認する構成：
（３）パチンコ遊技機の前面側から視認する構成：
（４）まとめ：
【００２４】
（１）パチンコ遊技機の構成：
図１は、本発明にかかる遊技機を適用したパチンコ遊技機を正面から見て示した正面図である。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。この本体枠２０の上部には、矩形板状の遊技板３０が取り付けられている。また、本体枠２０の下部には、遊技球の発射機構４０と、概略矩形形状に形成された樹脂製の流路板５０とが取り付けられている。さらに、当該流路板５０の前面側にて下皿７０が本体枠２０に取り付けられている。遊技板３０の前面には、下端中央から右巻きに概略一回転する外枠レールが前方へ立設されており、この外枠レールに取り囲まれる略円形の領域が遊技領域３１となっている。
【００２５】
この遊技領域３１には、図示していないが、多数の釘や、複数の入賞口や、入賞しなかった遊技球をアウト球として回収するアウト球回収口や、遊技の状況を表示する表示装置などが配設されている。遊技板３０の前面側には、樹脂製のガラス扉枠６０が本体枠２０の左端にて枢支されている。このガラス扉枠６０には、遊技領域３１を対面してガラス６１が嵌め込まれているとともに、ガラス６１の周囲を取り囲むように装飾ランプ６２および上皿６３が配設されている。また、ガラス扉枠６０の下方の本体枠２０には、発射機構４０の一部を構成する発射ハンドル４１が取り付けられている。この発射機構４０は、発射ハンドル４１の回転量に応じて遊技球を発射棹にて打ち出し、遊技板３０に向けて放出する。放出された遊技球は、流路板５０の前面側に取り付けられた遮蔽板と一対の仕切板とで囲まれた発射経路を通過した後、遊技板３０の前面側に立設された外側レールと内側レールとの間を通り抜けて、遊技領域３１に投入される。
【００２６】
図２は、パチンコ遊技機１を背面から見て示した背面図である。同図において、遊技板３０の背面側では、矩形筺状に形成された樹脂製の機構板８０が本体枠２０の図右端上部にて枢支されている。機構板８０も、図右端において本体枠２０の背面との間に設けられたヒンジ金具により支持されており、このヒンジを支軸として、同図における紙面手前側へ開閉可能となっている。この機構板８０は、上部に遊技球の流路を形成する流路部８２を備えており、この流路部８２には、遊技球タンク１２０やタンクレール１００が装着されている。また、機構板８０の右側部には遊技球を下方に向かって払い出す払い出し装置ユニット８３が取り付けられている。この払い出し装置ユニット８３は、計数カウンタにより払い出し球をカウントして所定数の遊技球を払い出す遊技球払い出し機構８３ａ、タンクレール１００からの遊技球を遊技球払い出し機構８３ａに誘導するカーブ状に設けられた流路８３ｂ、遊技球払い出し機構８３ａから払い出された遊技球を上皿６３や下皿７０に誘導する流路８３ｃを備えている。
【００２７】
遊技球払い出し機構８３ａは、内蔵するモータの回転により、遊技球を１個単位で放出可能となっている。そして、流路部８２に装着された遊技球タンク１２０から下方へ流出する遊技球が、タンクレール１００内を図２の左側から右側へ移動し、払い出し装置ユニット８３内を流下して上皿６３や下皿７０に払い出されるようになっている。ここで、当該パチンコ遊技機１の背面には、パチンコ遊技機１の各種制御を司る制御基板を収容した基板ボックス１３０が背面側から視認できるように装着されている。このように基板ボックス１３０は、パチンコ遊技機１の背面側において視認可能となっており、メンテナンス時において、ホールの作業員は、パチンコ遊技機１の背面側をメンテナンス作業を行う際に、この基板ボックス１３０の状態の確認作業を行う。
【００２８】
（２）パチンコ遊技機の背面側から視認する構成：
次に、上述した基板ボックス１３０を透視斜視した透視斜視図を図３に示す。また、図４に基板ボックス１３０に収容された制御基板を上面から観た上面図を示す。図において、基板ボックス１３０は、長辺の一辺に形成した図示しない蝶番機構にて、略透明に形成された樹脂製の筐体本体１３１と蓋体１３２とが開閉可能になっており、両方の短辺には、この筐体本体１３１と蓋体１３２とを封止するために、四ヶ所の開口縁部に開口部位封止構造１３３が採用されている。この開口部位封止構造１３３の詳細構成については後述する。筐体本体１３１には上述したように制御基板１３４が収容されて蓋体１３２にて覆蓋されている。制御基板１３４には各種半導体部品が配設されている。その中には、パチンコ遊技機１を制御を司る制御ユニットまたは制御ユニットが所定の制御処理を実行するためのプログラム、制御データが格納されるメモリユニットを有する機能ユニット１３６が配設されている。
【００２９】
この機能ユニット１３６は、不正なプログラムやデータが内蔵されたユニットと交換されてしまうと言った不正行為の対象となり易く、ホールの作業員は、メンテナンス時、本体枠２０を開扉してパチンコ遊技機１の背面側を視認した際に、この機能ユニット１３６の配設位置を特定しつつ状態を視認し、不正行為が行われているか否かを確認する必要がある。しかし、図２に示したように、パチンコ遊技機１の背面側には数多くの部品、装置が配設されている。従って、ホールの作業員は、このような背面側を視認しつつ、これらの部品、装置を視認しつつ必要に応じてメンテナンス作業を行うとともに、数多くの部品、装置のなかから機能ユニット１３６の配設位置を特定して、その状態をも確認する確認作業を行わなければならない。
【００３０】
ここで、ホールの作業員がこのような作業に練達していれば、数多くの部品、装置のなかから機能ユニット１３６の配設位置を特定することは容易であるが、そのような状況でない場合、数多くの部品、装置のなかから機能ユニット１３６の配設位置を特定することは困難な場合が多い。また、パチンコ遊技機１の背面側は、暗くなっているため、その点においても、ホールの作業員が機能ユニット１３６の配設位置を特定する作業を困難にしている。かかる場合に、この機能ユニット１３６の配設位置を指し示して、ホールの作業員にその配設位置を示し、注意を喚起することができると好適である。そこで、本実施形態においては、制御基板１３４上の所定位置（機能ユニット１３６を照射可能な位置）にＬＥＤ１３５を配設し、このＬＥＤ１３５にて機能ユニット１３６を照射することによって、機能ユニット１３６を当該ＬＥＤ１３５の光線にて浮かび上がらせることによって、ホールの作業員に配設位置を指し示す。
【００３１】
このように、ＬＥＤ１３５によって照射することによって、機能ユニット１３６を明るく照らし出すことが可能となり、ホールの作業員がパチンコ遊技機１の背面側を確認する際に、機能ユニット１３６に注意を喚起させることが可能になる。また、暗くなりがちなパチンコ遊技機１の背面側において、機能ユニット１３６を視認し易くすることが可能になる。また、本実施形態にかかる機能ユニット１３６は、略薄板形状に形成されるとともに、薄板幅面が上方に向けられて制御基板１３４に立設されている。これにより、ホールの作業員がパチンコ遊技機１の背面側に対面すると、作業員の視界には機能ユニット１３６の薄板幅面しか入ってこない。従って、当該機能ユニット１３６の配設位置を特定し難くなっている。従って、かかる点においても、機能ユニット１３６をＬＥＤ１３５によって照射して視認し易くすることに有用な効果がある。
【００３２】
一方、制御基板１３４上の機能ユニット１３６に対して不正行為を働く場合、基板ボックス１３０の開口部位封止構造１３３を破壊しなければならない。かかる観点から、この開口部位封止構造１３３もホールの作業員によってその状態を確認する対象となり得る。そこで、本実施形態においては、開口部位封止構造１３３をＬＥＤの光線によって照射することによって、ホールの作業員に開口部位封止構造１３３の配置位置を指し示して注意を喚起するとともに、照射により明るくすることによって当該開口部位封止構造１３３の状態を視認し易くすることを可能にする。ここで、当該開口部位封止構造１３３に適用される一例を図５および図６の構成図に示す。
【００３３】
図において、開口部位封止構造１３３は、蓋体１３２の側の突出片１３３ａと、筺体本体１３１の側のナット保持部１３３ｂとから構成されている。そして、突出片１３３ａにはネジ１４０を貫通させる貫通穴１３３ａ１が形成されている。このネジ１４０の軸部は、先端にのみ雄ネジ部１４０ａが形成されており、その途中には雄ネジを形成していない延長部１４０ｂとなっている。一方、ナット保持部１３３ｂには、内周面に雌ネジ部１３３ｂ１を形成した筒状のインサートナット１３３ｂ２が嵌入されており、このインサートナット１３３ｂ２の長さは概ね延長部１４０ｂよりも僅かに短めとしてあるとともに、インサートナット１３３ｂ２のさらに奥側にはドーナツ状の板バネ部材１３３ｂ３が挿入されている。
【００３４】
上記構成において、筺体本体１３１に蓋体１３２を位置合わせし、突出片１３３ａと、ナット保持部１３３ｂとが重なり合ったら、突出片１３３ａの貫通穴１３３ａ１に対してネジ１４０を挿入していき、インサートナット１３３ｂ２に螺合させる。ネジ１４０を回転していくと、雄ネジ部１４０ａは、インサートナット１３３ｂ２の雌ネジ部１３３ｂ１に螺合していくが、ネジ１４０には延長部１４０ｂが形成してあるので、ある時点で同雄ネジ部１４０ａはインサートナット１３３ｂ２を貫通する。また、貫通した時点で雄ネジ部１４０ａは板バネ部材１３３ｂ３をも貫通し、同板バネ部材１３３ｂ３にて奥方向に付勢される。そして、貫通直後の状態が筺体本体１３１と蓋体１３２とが密閉された封止状態となる。
【００３５】
この後、筺体本体１３１から蓋体１３２を外そうとして、ネジ１４０を逆方向に回転させても、雄ネジ部１４０ａは板バネ部材１３３ｂ３にて奥方向に付勢されているのでインサートナット１３３ｂ２の雌ネジ部１３３ｂ１に螺合しない。このため、ネジ１４０を外すことはできず、筺体本体１３１から蓋体１３２を外すことはできない。必要に応じて開口する唯一の手法は、樹脂製の突出片１３３ａとナット保持部１３３ｂのいずれかあるいは両方を破断させることである。図示した基板ボックス１３０の場合、四対の開口部位封止構造１３３が備えられており、メインテナンスの必要で開口しなければならない場合に対応している。
【００３６】
図７は、かかる構成の開口部位封止構造１３３を照射可能な構成を有する基板ボックス１３０を透視斜視した透視斜視図である。同図においては、制御基板１３４上の所定位置（開口部位封止構造１３３を照射可能な位置）にＬＥＤ１３５ａを配設する。そして、このＬＥＤ１３５ａにて開口部位封止構造１３３を照射することによって、開口部位封止構造１３３を当該ＬＥＤ１３５ａの光線にて浮かび上がらせて、ホールの作業員に配設位置を指し示す。このように、ＬＥＤ１３５によって照射することによって、開口部位封止構造１３３を明るく照らし出すことが可能となり、ホールの作業員がパチンコ遊技機１の背面側を確認する際に、開口部位封止構造１３３に注意を喚起させることが可能になる。また、暗くなりがちなパチンコ遊技機１の背面側において、開口部位封止構造１３３を視認し易くすることが可能になる。
【００３７】
ここで、図８にＬＥＤ１３５およびＬＥＤ１３５ａにて機能ユニット１３６および開口部位封止構造１３３を照射した場合のパチンコ遊技機１の背面図を示す。同図においては、ホールの作業員が本体枠２０を開扉させてパチンコ遊技機１の背面に対面すると、ＬＥＤ１３５およびＬＥＤ１３５ａの照射による光線によって明るく照らし出された機能ユニット１３６および開口部位封止構造１３３がホールの作業員の視界に入るので、パチンコ遊技機１の背面側において、特に、同機能ユニット１３６および開口部位封止構造１３３に対する注意を喚起させることが可能になる。また、機能ユニット１３６および開口部位封止構造１３３が明るく照らし出されているので、その状態を視認し易くなり、不正行為の有無を容易に判別することが可能になる。
【００３８】
上述してきた機能ユニット１３６には、図９に示すように、製造者によって貼付された管理番号シール１３６ａが貼付される。この管理番号シール１３６ａはシリアル番号や製造者印が付加されており、不正行為によって機能ユニット１３６が取り替えられた場合、この管理番号シール１３６ａの状態を視認すれば、機能ユニット１３６が取り替えられたか否かが直ぐ判別できるようになっている。そこで、図に示すように、特に、この管理番号シール１３６ａを照射するためのＬＥＤ１３５ｂを制御基板１３４に配設することにより、より視認性を向上させるようにしても良い。
【００３９】
一方、ホールの作業員がパチンコ遊技機１の背面側を視認するタイミングは、メンテナンス作業等のために、本体枠２０を開扉した場合である。そこで、本体枠２０が開扉された場合にのみ、ＬＥＤ１３５、ＬＥＤ１３５ａ、ＬＥＤ１３５ｂを発光させるように、制御処理を実行すると、省電力に寄与することができて好適である。図１０は、制御基板１３４の図示しないＣＰＵによって実行されるこのＬＥＤ制御処理の処理内容を示したフローチャートである。ここで、かかる場合、本体枠２０の開扉を検知可能な所定のセンサーが制御基板１３４に入力されていることを前提とする。同図において、上述したセンサーの状態を検出して、本体枠２０の開閉状態を取得する（ステップＳ１００）。そして、本体枠２０が開状態であるか否かを判別し（ステップＳ１０５）、開状態であると判別されたら、ＬＥＤ１３５、ＬＥＤ１３５ａ、ＬＥＤ１３５ｂを発光させることによって、機能ユニット１３６、開口部位封止構造１３３、管理番号シール１３６ａを照射する（ステップＳ１１０）。
【００４０】
上述した実施形態においては、制御基板１３４上に配設したＬＥＤ１３５，１３５ａを使用して、当該制御基板１３４に配設されている機能ユニット１３６および当該制御基板１３４を収容する基板ボックス１３０の開口部位封止構造１３３を照射してホールの従業員の注意を喚起するとともに、視認し易くする構成を採用した。このように、機能ユニット１３６および開口部位封止構造１３３に対する注意を喚起するとともに、視認し易くする手法は、制御基板１３４上に配設したＬＥＤ１３５、１３５ａを使用する態様に限定されない。
【００４１】
ここで、制御基板１３４以外の他の基板から当該制御基板１３４を照射する構成を図１１の構成図に示す。同図において、パチンコ遊技機１の背面側には、制御基板１３４以外の他の基板が多数配設されている。そこで、本実施形態においては、制御基板１３４に隣接する他の基板１３７（例えば、払出基板など）の制御基板１３４を収容する基板ボックス１３０側にＬＥＤ１３７ａを配設する。そして、このＬＥＤ１３７ａによって基板ボックス１３０の開口部位封止構造１３３あるいは制御基板１３４上の機能ユニット１３６を照射する。このように、制御基板１３４以外の他の基板１３７に配設されたＬＥＤ１３７ａによって機能ユニット１３６、開口部位封止構造１３３を照射するようにしても良い。また、図１２に示すように、制御基板１３４に隣接しない他の基板１３８にＬＥＤ１３８ｂを内部に備えたＬＥＤユニット１３８ａを配設するとともに、このＬＥＤユニット１３８ａ内のＬＥＤ１３８ｂから照射される光線を光ファイバーケーブル１３８ｃによって基板ボックス１３０方向に導入し、この光ファイバーケーブル１３８ｃの先端を開口部位封止構造１３３あるいは機能ユニット１３６に向けることによって、当該開口部位封止構造１３３あるいは機能ユニット１３６を照射するようにしても良い。
【００４２】
上述してきた実施形態においては、機能ユニット１３６、開口部位封止構造１３３および管理番号シール１３６ａを照射するために、ＬＥＤ１３５、１３５ａ、１３５ｂを採用したが、照射して注意を喚起するとともに、視認し易くするという観点においては、ＬＥＤに限定されることはない。従って、蛍光ランプで機能ユニット１３６等を照射する構成であっても良いし、半導体に高電圧を印加すると発光するＥＬ（エレクトリック・ルミネッセント）で機能ユニット１３６等を照射する構成であっても良く、適宜選択可能である。ここで、照射手段としてＬＥＤやＥＬから発せられる光線を利用した場合、当該光線は直進性を有しているため、照射される領域は狭くなると勘案される。かかる場合、ＬＥＤあるいはＥＬの発光部に拡大機能を有する樹脂を装着したりすることにより、ＬＥＤあるいはＥＬの光線を分散させ、照射領域を拡大させるようにすると、より注意を喚起することができるとともに、視認し易くすることができて好適である。
【００４３】
ここで、上述してきた制御基板１３４もしくは制御基板１３４を収容する基板ボックス１３０は、パチンコ遊技機１の背面側において外部に露出する場合もあれば、図１３に示すように、カバー部材９０によって覆蓋される場合もある。このカバー部材９０は、カバー部材封止構造９１，９２によって当該パチンコ遊技機１の背面側に封止される。このように封止されると、制御基板１３４に対して不正行為が行われるに際し、先ずこのカバー部材９０を不正に開扉する行為が行われる。すなわち、不正にカバー部材封止構造９１，９２を破壊して開扉されることになる。従って、カバー部材９０によってパチンコ遊技機１の背面側を覆蓋した場合、このカバー部材封止構造９１，９２の状態を視認することが肝要になる。そこで、本実施形態においては、このカバー部材封止構造９１，９２を照射することによって、ホールの作業員のカバー部材封止構造９１，９２に対する注意を喚起するとともに、視認し易くする。
【００４４】
ここで、図１４および図１５にカバー部材封止構造９１，９２の構成を示す。同図において、このカバー部材封止構造９１，９２は、カバー部材９０と、同カバー部材９０に対面する部材（機構板８０もしくは本体枠２０もしくは遊技板３０等）との相互に形成され、このカバー部材封止構造９１，９２によって、カバー部材９０を封止する。本実施形態においては、カバー部材９０に対面する部材を機構板８０とする構成を採用して説明するが、むろん、この部材は、本体枠２０であっても良いし、遊技板３０であっても良く、設計に応じて適宜変更可能であることは言うまでもない。また、図においては、カバー部材封止構造９１の構成を説明しているが、カバー部材封止構造９２も同等の構成を有していることは言うまでもない。
【００４５】
図において、カバー部材封止構造９１は、カバー部材９０の角部を陥没させ略透明の樹脂にて形成したカバー部材側封止部９１ａと、カバー部材９０の反対側に略半椀状に突出した凸部を有する略透明の樹脂にて形成した機構板側封止部９１ｂとから構成されている。そして、カバー部材側封止部９１ａには、ネジ１３０を貫通させる貫通穴９１ａ１が形成されている。このネジ１３０の軸部は、先端にのみ雄ネジ部１３０ａが形成されており、その途中は雄ネジを形成していない延長部１３０ｂとなっている。一方、機構板側封止部９１ｂには、内周面に雌ネジ部９１ｂ１を形成した筒状のインサートナット９１ｂ２が嵌入されており、このインサートナット９１ｂ２の長さは概ね延長部１３０ｂよりも僅かに短めとしてあるとともに、インサートナット９１ｂ２のさらに奥側にはドーナツ状の板バネ部材９１ｂ３が挿入されている。
【００４６】
上記構成において、機構板側封止部９１ｂに対して、カバー部材側封止部９１ａを位置合わせし、カバー部材側封止部９１ａと、機構板側封止部９１ｂとが重なり合ったら、カバー部材側封止部９１ａの貫通穴９１ａ１に対してネジ１３０を挿入していき、インサートナット９１ｂ２に螺合させる。ネジ１３０を回転していくと、雄ネジ部１３０ａは、インサートナット９１ｂ２の雌ネジ部９１ｂ１に螺合していくが、ネジ１３０には延長部１３０ｂが形成してあるので、ある時点で同雄ネジ部１３０ａはインサートナット９１ｂ２を貫通する。また、貫通した時点で雄ネジ部１３０ａは板バネ部材９１ｂ３をも貫通し、同板バネ部材９１ｂ３にて奥方向に付勢される。そして、貫通直後の状態がカバー部材９０と機構板８０とが密閉された封止状態となる。
【００４７】
この後、機構板８０からカバー部材９０を外そうとして、ネジ１３０を逆方向に回転させても、雄ネジ部１３０ａは板バネ部材９１ｂ３にて奥方向に付勢されているのでインサートナット９１ｂ２の雌ネジ部９１ｂ１に螺合しない。このため、ネジ１３０を外すことはできず、機構板８０からカバー部材９０を外すことはできない。必要に応じてカバー部材９０を開く唯一の手法は、カバー部材側封止部９０ａと機構板側封止部９１ｂのいずれかあるいは両方を破断させることである。従って、このカバー部材封止構造９１，９２の状態を視認することによって不正行為の有無が判別できるようになっている。このように構成されたカバー部材封止構造９１，９２に対して、図１６に示すように、基板ボックス１３０に収容された制御基板１３４上に配設したＬＥＤ１３４ｂを有するＬＥＤユニット１３４ａを光源にして光ファイバーケーブル１３４ｃを延設する。
【００４８】
そして、この光ファイバーケーブル１３４ｃの先端からＬＥＤ１３４ｂの照射した光線を出力することによって、当該カバー部材封止構造９１，９２を照射する。上述したように、カバー部材封止構造９１，９２は略透明の樹脂にて形成されているため、当該カバー部材封止構造９１，９２は光線が透過することによって照らし出される。ここで、図１７にＬＥＤ１３４ｂによりカバー部材封止構造９１，９２を照射した場合のパチンコ遊技機１の背面図を示す。同図においては、ホールの作業員が本体枠２０を開扉させてパチンコ遊技機１の背面に対面すると、光ファイバーケーブル１３４ｃの先端から出力されるＬＥＤ１３４ｂの照射による光線によって明るく照らし出されたカバー部材封止構造９１，９２がホールの作業員の視界に入るので、パチンコ遊技機１の背面側において、特に、同カバー部材封止構造９１，９２に対する注意を喚起させることが可能になる。また、カバー部材封止構造９１，９２が明るく照らし出されているので、その状態を視認し易くなり、不正行為の有無を容易に判別することが可能になる。
【００４９】
上述してきた実施形態においては、パチンコ遊技機１の背面側を視認するために、本体枠２０を開扉する必要がある。本体枠２０を開扉する作業は、閉店後のメンテナンスや、休日のメンテナンスの場合に行われるため、機能ユニット１３６、開口部位封止構造１３３、カバー部材封止構造９１，９２に不正行為が行われた場合、本体枠２０を開扉するまで発見できない。一方、ホールの作業員は、閉店後にホールを巡回し、遊技板３０の清掃や、遊技板３０上に配設されたクギ等の調整や、球詰まりの処置を行うため、ガラス扉枠６０を開扉する機会が多い。従って、このガラス扉枠６０を開扉したときに、ＬＥＤ１３５等にて照射された機能ユニット１３６、開口部位封止構造１３３、カバー部材封止構造９１，９２を視認可能にすると、ガラス扉枠６０を開扉しただけで、これらの被照射対象に対する不正行為を発見することが可能となり好適である。
【００５０】
そこで、本実施形態においては、ガラス扉枠６０の裏側と対面する領域にパチンコ遊技機１の本体前面から裏面に向けて上述した被照射対象が視認可能な開口部を設け、ホールの作業員が閉店後の通常業務である諸作業を行うために、ガラス扉枠６０を開扉した際に、当該被照射対象の状態を視認することができる構成を採用する。ここで、本実施形態においては、一例として、開口部から開口部位封止構造１３３の状態を視認可能な構成を採用したが、むろん、開口部から機能ユニット１３６等の被照射対象の状態を視認可能な構成を採用することが可能であることは言うまでもない。
【００５１】
（３）パチンコ遊技機の前面側から視認する構成：
図１８は、パチンコ遊技機１のガラス扉枠６０を開扉した状態を斜視した斜視図である。同図においては、ガラス扉枠６０を開扉した状態を示している。ガラス扉枠６０を開扉すると、外枠１０に装着されるとともに、遊技領域３１部分が略円形形状に開口された本体枠２０が現れる。本実施形態においては、この本体枠２０にパチンコ遊技機１の前面から裏面に貫通する開口部１５０を形成する。この開口部１５０は、パチンコ遊技機１の背面に配設された基板ボックス１３０の開口部位封止構造１３３に対面する位置に形成されており、必要に応じて、本体枠２０、遊技板３０、機構板８０に形成した開口形状にて構成される。図１９は、開口部１５０を正面から見た場合の拡大図を示している。
【００５２】
このように、開口部１５０を介して、基板ボックス１３０の開口部位封止構造１３３が視認可能になっているため、ホールの作業員は、ガラス扉枠６０を開扉させるとともに、この開口部１５０から開口部位封止構造１３３を視認することによって、ＬＥＤ１３５ａによって照射された当該開口部位封止構造１３３の状態を視認することが可能になる。これによって、閉店後にホールを巡回し、上述した諸作業を行いながら、基板ボックス１３０に対する不正行為をチェックすることが可能となり、営業中においても行われ得る基板ボックス１３０に対する不正行為を早期に発見することが可能となる。また、本実施形態においては、開口部１５０に樹脂製の透明カバー１５０ａを嵌め込み、視界を遮ることなく、この開口部１５０を介して、粉塵等がパチンコ遊技機１の前面から裏面に入り込んでしまうことを防止している。ここで、この透明カバー１５０ａを凸レンズにて形成し、拡大鏡の機能を備えさせても良い。これにより、開口部位封止構造１３３を拡大して視認することが可能となり、同開口部位封止構造１３３の状態をより確認し易くなって好適である。
【００５３】
上述した実施形態においては、ガラス扉枠６０の裏側に開口部１５０を配置し、ホールの作業員が閉店後にガラス扉枠６０を開扉し、遊技板３０の清掃等を行う際に、併せて開口部１５０を介してＬＥＤ１３５ａによって照射された基板ボックス１３０の開口部位封止構造１３３の状態を視認可能にした。このような開口部１５０は、ガラス扉枠６０の裏側に配置しても良いし、むろん、ガラス扉枠６０に形成し、ガラス扉枠６０を開扉することなく、基板ボックス１３０の開口部位封止構造１３３の状態を視認できるようにしても良い。かかる場合におけるガラス扉枠６０を正面から見た正面図を図２０に示す。
【００５４】
同図においては、ガラス扉枠６０に開口部１５１を形成し、必要に応じて遊技板３０、本体枠２０、機構板８０に形成された開口部１５０と連通して、パチンコ遊技機１の前面から裏面を見ることができるようにする。これによって、ガラス扉枠６０を開扉することなく、ＬＥＤ１３５ａによって照射された基板ボックス１３０の開口部位封止構造１３３の状態を視認することができるため、ホールの作業員は、巡回中に、この開口部１５１をのぞき込むだけで良くなる。一方、このように、ガラス扉枠６０自体に開口部１５１を形成してしまうと、パチンコ遊技機１の前面に施された装飾が損なわれてしまうこともあり得る。そこで、この開口部１５１に図２１および図２２に示す傾斜壁カバー１５１ａおよび傾斜壁カバー１５１ｂを嵌め込む。同図において、傾斜壁カバー１５１ａには、上方向から下方向に向けて傾斜する傾斜壁１５１ｃが複数形成されるとともに、傾斜壁カバー１５１ｂには、パチンコ遊技機１の中央方向から外側方向に向けて形成する傾斜壁１５１ｄが形成されている。
【００５５】
このように、傾斜壁１５１ｃ、１５１ｄを形成することによって、遊技者の目線においては、傾斜壁が視界を遮り、開口部位封止構造１３３を見えないようにすることができる。一方、ホールの作業員の目線においては、傾斜壁１５１ｃ間、若しくは、傾斜壁１５１ｄ間を介して、ＬＥＤ１３５ａによって照射された基板ボックス１３０の開口部位封止構造１３３の状態を視認することができる。これによって、遊技者の視界から開口部位封止構造１３３を除外することができるようになる。このとき、傾斜壁１５１ｃ、１５１ｄの外側にガラス扉枠６０と同様の装飾を施しておけば、遊技者に開口部１５１を意識させないようにすることが可能になる。
【００５６】
上述した実施形態においては、図１８に示すとおり、ガラス扉枠６０を開扉することによって、本体枠２０にパチンコ遊技機１の前面から裏面に貫通して形成した開口部１５０を介して、ＬＥＤ１３５ａによって照射された基板ボックス１３０の開口部位封止構造１３３の状態を視認可能にし、諸作業のためにガラス扉枠６０を開扉しつつ、同時にこの開口部位封止構造１３３の状態を視認することを可能にした。ここで、かかる実施形態においては、ガラス扉枠６０は、上皿６３が一体成形されている構成を採用した。パチンコ遊技機１の機種によっては、上皿扉枠がガラス扉枠とは別個に形成されるとともに、本体枠２０に枢支され、当該本体枠２０に対して開閉可能になっているものもある。このような、パチンコ遊技機１においては、上皿６３の清掃等の作業のため、上皿扉枠が開扉される機会が多い。このとき、上皿扉枠を開扉した際に、基板ボックス１３０の開口部位封止構造１３３の封止状態を視認することができると好適である。
【００５７】
図２３は、パチンコ遊技機１のガラス扉枠６０とは別個に形成された上皿扉枠を開扉した状態を斜視した斜視図である。同図においては、上皿扉枠６３ａを開扉した状態を示している。上皿扉枠６３ａを開扉すると、外枠１０に装着されるとともに、遊技領域３１部分が略円形形状に開口された本体枠２０が現れる。そして、この実施形態においては、上皿扉枠６３ａの背面側の本体枠２０にパチンコ遊技機１の前面から裏面に貫通する開口部２５０を形成する。この開口部２５０は、パチンコ遊技機１の背面に配設された基板ボックス１３０の開口部位封止構造１３３に対面する位置に形成されており、必要に応じて、本体枠２０、遊技板３０、機構板８０に形成した開口形状にて構成される。また、この実施形態においては、図２４に示すとおり、基板ボックス１３０は、パチンコ遊技機１裏面の下方に配置され、開口部位封止構造１３３が開口部２５０に対面可能になっている。ここで、図２５は、開口部２５０を正面から見た場合の拡大図を示している。
【００５８】
このように、開口部２５０を介して、ＬＥＤ１３５ａによって照射された基板ボックス１３０の開口部位封止構造１３３の状態が視認可能になっているため、ホールの作業員は、上皿扉枠６３ａを開扉させるとともに、この開口部２５０から開口部位封止構造１３３を視認することによって、その状態を認識することが可能になる。これによって、閉店後にホールを巡回し、上皿扉枠６３ａを開扉して諸作業を行いつつ、基板ボックス１３０に対する不正行為をチェックすることが可能となり、営業中においても行われ得る基板ボックス１３０に対する不正行為を早期に発見することが可能となる。なお、上述してきたガラス扉枠６０および上皿扉枠６３ａの開扉に際して、上記したＬＥＤ制御処理を実行すると、省電力に寄与できて好適である。
【００５９】
上述した実施形態においては、本発明にかかる遊技機をパチンコ遊技機１に適用する構成を採用したが、むろん、本発明を適用可能な遊技機はパチンコ遊技機１に限定されるものではない。ここで、図２６に本発明を適用したスロットマシン（パチスロ）２００の背面図を示す。同図において、スロットマシン２００の背面側にも矩形箱形に形成され、内部に制御基板２０１を収容する基板ボックス２０２が装着されている。そして、この制御基板２０１には、上述してきたのと同様の機能を有する機能ユニット２０３が配設されるとともに、この機能ユニット２０３を照射するＬＥＤ２０５が配設されている。
【００６０】
また、基板ボックス２０２は、図示しない蝶番機構にて蓋体と筺体とが開閉可能になっており、両方の短辺には上述してきたのと同様の開口部位封止構造２０６が採用されているとともに、制御基板２０１にはこの開口部位封止構造２０６を照射するＬＥＤ２０７が配設されている。このように、ＬＥＤ２０５，２０７によって機能ユニット２０３および開口部位封止構造２０６を照射することによってホールの作業員に対して注意を喚起させるとともに、暗がりにおいても視認し易くすることが可能になる。
上述したスロットマシン２００では、基板ボックス２０２が本体の背面側に装着される態様について説明した。一方、スロットマシン２００は、前面扉が開放自在な筐体によって構成されている。このとき、この前面扉を開扉した際に視認可能になる当該前面扉の背面側に制御基板２０１を収容した基板ボックス２０２が配設される態様もあり、かかる態様の場合に本発明を適用しても好適であることは言うまでもない。
すなわち、スロットマシン２００の前面扉の背面側に基板ボックス２０２を配設した場合においても、制御基板２０１の機能ユニット２０３等の被照射対象を照射するＬＥＤ２０５等を制御基板２０１に配設することにより、ホールの作業員がメンテナンス等によって当該スロットマシン２００の前面扉を開扉して内部を視認した際に、同被照射対象に対して作業員の注意を喚起させるとともに、当該被照射対象を視認し易くしても良い。
また、本実施形態においては、図示していないが、本発明にかかる遊技機はパチロットにも同様に適用可能であることは言うまでもない。このパチロットとは、メダルの代わりにパチンコ遊技球を利用するものであり、例えば、パチンコ球の５個がメダル１個に相当して遊技を楽しむことができる。
【００６１】
（４）まとめ：
このように、制御基板１３４上の所定位置にＬＥＤ１３５等を配設するとともに、このＬＥＤ１３５等によって、同制御基板１３４上に配設した機能ユニット１３６や、同制御基板１３４を収容する基板ボックス１３０の開口部位封止構造１３３、あるいは、カバー部材９０のカバー部材封止構造９１，９２を照射することにより、ホールの作業員がパチンコ遊技機１の背面側の状態を確認する際に、特に不正行為の対象となり易い当該機能ユニット１３６等に対して注意を喚起させることが可能になる。また、ＬＥＤ１３５等により照射することによって、当該機能ユニット１３６等を視認し易くすることが可能になる。
【図面の簡単な説明】
【図１】本発明にかかる遊技機を適用したパチンコ遊技機を正面から見て示した正面図である。
【図２】パチンコ遊技機を背面から見て示した背面図である。
【図３】基板ボックスを透視斜視した透視斜視図である。
【図４】基板ボックスに収容された制御基板を上面から観た上面図である。
【図５】開口部位封止構造の構成を示した構成図である。
【図６】開口部位封止構造の構成を示した構成図である。
【図７】開口部位封止構造を照射可能な構成を有する基板ボックスを透視斜視した透視斜視図である。
【図８】機能ユニットおよび開口部位封止構造が照射された際のパチンコ遊技機の背面図である。
【図９】管理番号シールを照射可能な構成を示した構成図である。
【図１０】ＬＥＤ制御処理の処理内容を示したフローチャートである。
【図１１】制御基板以外の他の基板から当該制御基板を照射する構成を示した構成図である。
【図１２】制御基板以外の他の基板から当該制御基板を照射する構成を示した構成図である。
【図１３】パチンコ遊技機を背面から見て示した背面図である。（カバー部材がある場合）
【図１４】カバー部材封止構造の構成を示した構成図である。
【図１５】カバー部材封止構造の構成を示した構成図である。
【図１６】制御基板上のＬＥＤによってカバー部材封止構造を照射する構成を示した構成図である。
【図１７】カバー部材封止構造が照射された際のパチンコ遊技機の背面図である。
【図１８】パチンコ遊技機のガラス扉枠を開扉した状態を斜視した斜視図である。
【図１９】開口部を正面から見た場合の拡大図である。
【図２０】ガラス扉枠を正面から見た場合の正面図である。
【図２１】傾斜壁カバーの構成を示した構成図である。
【図２２】傾斜壁カバーの構成を示した構成図である。
【図２３】パチンコ遊技機の上皿扉枠を開放した状態を斜視した斜視図である。
【図２４】パチンコ遊技機を背面から見て示した背面図である。
【図２５】開口部を正面から見た場合の拡大図である。
【図２６】パチロットの背面を示した背面図である。
【符号の説明】
１…パチンコ遊技機
１０…外枠
１０ａ…矩形開口
２０…本体枠
３０…遊技板
３１…遊技領域
４０…発射機構
４１…発射ハンドル
５０…流路板
６０…ガラス扉枠
６１…ガラス
６２…装飾ランプ
６３…上皿
７０…下皿
８０…機構板
８２…流路部
８３…払い出し装置ユニット
１００…タンクレール
１２０…遊技球タンク
１３０…基板ボックス
１３１…筐体本体
１３２…蓋体
１３３…開口部位封止構造
１３４…制御基板
１３５…ＬＥＤ
【図１】
2004049286.tif 000003
【図２】
2004049286.tif 000004
【図３】
2004049286.tif 000005
【図４】
2004049286.tif 000006
【図５】
2004049286.tif 000007
【図６】
2004049286.tif 000008
【図７】
2004049286.tif 000009
【図８】
2004049286.tif 000010
【図９】
2004049286.tif 000011
【図１０】
2004049286.tif 000012
【図１１】
2004049286.tif 000013
【図１２】
2004049286.tif 000014
【図１３】
2004049286.tif 000015
【図１４】
2004049286.tif 000016
【図１５】
2004049286.tif 000017
【図１６】
2004049286.tif 000018
【図１７】
2004049286.tif 000019
【図１８】
2004049286.tif 000020
【図１９】
2004049286.tif 000021
【図２０】
2004049286.tif 000022
【図２１】
2004049286.tif 000023
【図２２】
2004049286.tif 000024
【図２３】
2004049286.tif 000025
【図２４】
2004049286.tif 000026
【図２５】
2004049286.tif 000027
【図２６】
2004049286.tif 000028